(57)【要約】【課題】ビデオテープ再生装置において、外光の影響を受けても誤動作することなく、ビデオテープの始端及び終端を正確に検出可能にする。【解決手段】ユーザによって電源が投入されると（＃１）、マイコンは、まず始端センサ及び終端センサによってそれらの周辺の光を検出させる（＃２）。このとき、始端センサが光を検出すると（＃３においてＹＥＳ）、マイコンは、モニタ装置に、始端センサの側を遮光すべき旨のメッセージを表示させる（＃４）。一方、終端センサが光を検出すると（＃５においてＹＥＳ）、マイコンは、モニタ装置に終端センサの側を遮光すべき旨のメッセージを表示させる（＃６）。そして、＃１から所定の時間が経過すると（＃７においてＹＥＳ）、マイコンは、発光ダイオードの発光を開始させた後（＃８）、ビデオテープの再生を開始させる（＃９）。【選択図】図５
2006065898.tif 000002
【特許請求の範囲】
【請求項１】
装填されたビデオテープカセットのリールを駆動する駆動手段と、
ビデオテープに記録された映像・音声信号を再生する再生手段と、
前記再生手段によって再生された映像・音声信号を処理する映像・音声信号処理手段と、
前記再生手段による映像・音声信号の再生や、前記ビデオテープの早送り、巻き戻し等の操作を指示するための操作手段と、
前記操作手段を用いてユーザにより前記再生手段による映像・音声信号の再生、前記ビデオテープの早送り、又は巻き戻しの操作が指示され、前記駆動手段により前記リールが駆動されているときに、前記ビデオテープの終端又は始端を検出し、それに応じた制御を行う検出制御手段と、
前記ビデオテープの始端又は終端を検出するために、該ビデオテープに赤外線を照射する赤外線発光ダイオードと、
前記操作手段を用いてユーザにより前記再生手段による映像・音声信号の再生、前記ビデオテープの早送り、又は巻き戻し等の操作が指示されたときに、前記検出制御手段から出力された制御信号に基いて前記赤外線発光ダイオードに電源を供給する光源ドライブ回路と、
前記操作手段を用いてユーザにより前記再生手段による映像・音声信号の再生の操作、又は前記ビデオテープの早送りの操作が指示されたときに、前記赤外線発光ダイオードから出射され前記ビデオテープの終端部分を透過した光を受光して、該ビデオテープの終端を検出するための終端センサと、
前記操作手段を用いてユーザにより前記ビデオテープの巻き戻しの操作が指示されたときに、前記赤外線発光ダイオードから出射され前記ビデオテープの始端部分を透過した光を受光して、該ビデオテープの始端を検出するための始端センサと、
装置の各部を被うキャビネットとを備えたビデオテープ再生装置において、
前記検出制御手段は、
電源投入後に、所定の時間に亘って前記赤外線発光ダイオードの発光を停止させた状態で、前記始端センサ及び終端センサによって該始端センサ及び終端センサの周辺の光を検出させ、
前記始端センサがその周辺の光を検出したとき、該始端センサ側を遮光すべき旨のメッセージを前記映像・音声信号処理手段を介して出力させ、
前記終端センサがその周辺の光を検出したとき、該終端センサ側を遮光すべき旨のメッセージを前記映像・音声信号処理手段を介して出力させ、
前記所定の時間が経過した後、前記赤外線発光ダイオードの発光を開始させて、前記始端センサ及び終端センサによって、前記ビデオテープの始端及び終端の検出を開始し、
ユーザに装置の遮光が十分でないことを了知させることを可能としたことを特徴とするビデオテープ再生装置。
【請求項２】
装填されたビデオテープカセットのリールを駆動する駆動手段と、
ビデオテープに記録された映像・音声信号を再生する再生手段と、
前記再生手段によって再生された映像・音声を出力する映像・音声信号処理手段と、
前記ビデオテープの始端又は終端を検出するために、該ビデオテープに光を照射する発光手段と、
前記発光手段から照射され前記ビデオテープの終端部分を透過した光を受光して、該ビデオテープの終端を検出するための終端センサと、
前記発光手段から照射され前記ビデオテープの始端部分を透過した光を受光して、該ビデオテープの始端を検出するための始端センサと、
前記駆動手段によってリールを介してビデオテープが駆動されているときに、該ビデオテープの始端及び終端を検出し、それに応じた制御を行う検出制御手段とを備えたビデオテープ再生装置において、
前記検出制御手段は、
電源投入後に、所定の時間に亘って前記発光手段の発光を停止させた状態で、前記始端センサ及び終端センサによって該始端センサ及び終端センサの周辺の光を検出させ、
前記始端センサ又は終端センサがそれらの周辺の光を検出したとき、装置の周辺を遮光すべき旨のメッセージを前記映像・音声信号処理手段を介して出力させ、
前記所定の時間が経過した後、前記発光手段の発光を開始させて、前記始端センサ及び終端センサによって、前記ビデオテープの始端及び終端の検出を開始し、
ユーザに装置の遮光が十分でないことを了知させることを可能としたことを特徴とするビデオテープ再生装置。
【発明の詳細な説明】
【技術分野】
【０００１】
本発明は、ビデオテープ再生装置に係り、特に、ビデオテープ再生装置におけるビデオテープの始端検出と終端検出の技術に関する。
【背景技術】
【０００２】
従来より、ＶＴＲ（Video Tape Recorder）内蔵型のテレビジョン受像機等のビデオテープ再生装置では、ビデオテープを挟んで赤外線発光ダイオード（以下、発光ダイオードと記す）と対向した位置に、始端センサと終端センサを設けて、始端センサ又は終端センサから検出用のマイコンへの出力信号のレベルが変化したときに、ビデオテープが始端又は終端の透明なリーダテープ部に達したと判定している。ところが、上記のような始端センサ又は終端センサからの出力信号の信号レベルのみに基いてビデオテープの始端又は終端を検出する方法では、ビデオテープ再生装置のキャビネットが、外光を透過し易い材質で形成されている場合や、外光を透し易い構造である場合には、外光の影響から、ビデオテープの始端又は終端を誤検出することがあった。
【０００３】
そこで、所定のパルス信号に応じた赤外線光を発光ダイオードから出力させ、始端センサ又は終端センサから出力されるパルス信号等の信号パターンに基いて、ビデオテープの始端又は終端を検出するビデオテープ再生装置が知られている（例えば、特許文献１及び特許文献２参照）。また、発光ダイオードが発光しているとき始端センサ又は終端センサからの出力信号を処理して、ビデオテープの始端又は終端を検出する第１の検出回路と、発光ダイオードが発光していないとき始端センサ又は終端センサからの出力信号を処理して、ビデオテープの始端又は終端を検出する第２の検出回路とを備えたビデオテープ再生装置が知られている（例えば、特許文献３参照）。また、発光ダイオードを点灯する以前の始端センサ又は終端センサの出力が所定のレベルよりも大きいとき、始端センサ又は終端センサによるビデオテープの始端又は終端の検出を中止するビデオテープ再生装置が知られている（例えば、特許文献４参照）。
【特許文献１】実開昭６３−４０８３０号公報
【特許文献２】特開平８−６９６４９号公報
【特許文献３】特開昭６３−２１４０号公報
【特許文献４】実開昭６３−１６８６３１号公報
【発明の開示】
【発明が解決しようとする課題】
【０００４】
しかしながら、上記特許文献１及び特許文献２に示されたビデオテープ再生装置においては、始端センサ及び終端センサの出力信号が発光ダイオードの発光によるものか、外光によるものかを判定するのに、パルス信号を用いている。このパルス信号は、ノイズの影響を受け易く、信号のロー及びハイのレベルにばらつきが生じ易い。また、パルス信号のローからハイ又はハイからローに切り替わるタイミングも、ノイズの影響を受けてばらつきが生じ易い。その結果、パルス信号を誤って判断してしまう虞がある。
【０００５】
また、上記特許文献３に示されたビデオテープ再生装置においては、第１の検出回路に加えて、第２の検出回路を必要とするため、装置の製造コストの高騰を招来する。さらに、特許文献４に示されたビデオテープ再生装置においては、発光ダイオードを点灯する以前の始端センサ又は終端センサの出力が所定のレベルよりも大きいとき、ビデオテープの始端又は終端を検出することができないので、ビデオテープに損傷を及ぼしたり、ビデオテープを駆動するためのモータ等に過度な負荷が掛かる。
【０００６】
本発明は、上記課題を解決するためになされたものであり、外光の影響を受けても誤動作することなく、ビデオテープの始端及び終端を正確に検出することができるビデオテープ再生装置を安価に提供することを目的とする。
【課題を解決するための手段】
【０００７】
上記目的を達成するために請求項１の発明は、装填されたビデオテープカセットのリールを駆動する駆動手段と、ビデオテープに記録された映像・音声信号を再生する再生手段と、再生手段によって再生された映像・音声信号を処理する映像・音声信号処理手段と、再生手段による映像・音声信号の再生や、ビデオテープの早送り、巻き戻し等の操作を指示するための操作手段と、操作手段を用いてユーザにより再生手段による映像・音声信号の再生、ビデオテープの早送り、又は巻き戻しの操作が指示され、駆動手段によりリールが駆動されているときに、ビデオテープの終端又は始端を検出し、それに応じた制御を行う検出制御手段と、ビデオテープの始端又は終端を検出するために、該ビデオテープに赤外線を照射する赤外線発光ダイオードと、操作手段を用いてユーザにより再生手段による映像・音声信号の再生、ビデオテープの早送り、又は巻き戻し等の操作が指示されたときに、検出制御手段から出力された制御信号に基いて赤外線発光ダイオードに電源を供給する光源ドライブ回路と、操作手段を用いてユーザにより再生手段による映像・音声信号の再生の操作、又はビデオテープの早送りの操作が指示されたときに、赤外線発光ダイオードから出射されビデオテープの終端部分を透過した光を受光して、該ビデオテープの終端を検出するための終端センサと、操作手段を用いてユーザによりビデオテープの巻き戻しの操作が指示されたときに、赤外線発光ダイオードから出射されビデオテープの始端部分を透過した光を受光して、該ビデオテープの始端を検出するための始端センサと、装置の各部を被うキャビネットとを備えたビデオテープ再生装置において、検出制御手段は、電源投入後に、所定の時間に亘って赤外線発光ダイオードの発光を停止させた状態で、始端センサ及び終端センサによって該始端センサ及び終端センサの周辺の光を検出させ、始端センサがその周辺の光を検出したとき、該始端センサ側を遮光すべき旨のメッセージを映像・音声信号処理手段を介して出力させ、終端センサがその周辺の光を検出したとき、該終端センサ側を遮光すべき旨のメッセージを映像・音声信号処理手段を介して出力させ、所定の時間が経過した後、赤外線発光ダイオードの発光を開始させて、始端センサ及び終端センサによって、ビデオテープの始端及び終端の検出を開始し、ユーザに装置の遮光が十分でないことを了知させることを可能としたものである。
【０００８】
請求項２の発明は、装填されたビデオテープカセットのリールを駆動する駆動手段と、ビデオテープに記録された映像・音声信号を再生する再生手段と、再生手段によって再生された映像・音声を出力する映像・音声信号処理手段と、ビデオテープの始端又は終端を検出するために、該ビデオテープに光を照射する発光手段と、発光手段から照射されビデオテープの終端部分を透過した光を受光して、該ビデオテープの終端を検出するための終端センサと、発光手段から照射されビデオテープの始端部分を透過した光を受光して、該ビデオテープの始端を検出するための始端センサと、駆動手段によってリールを介してビデオテープが駆動されているときに、該ビデオテープの始端及び終端を検出し、それに応じた制御を行う検出制御手段とを備えたビデオテープ再生装置において、検出制御手段は、電源投入後に、所定の時間に亘って発光手段の発光を停止させた状態で、始端センサ及び終端センサによって該始端センサ及び終端センサの周辺の光を検出させ、始端センサ又は終端センサがそれらの周辺の光を検出したとき、装置の周辺を遮光すべき旨のメッセージを映像・音声信号処理手段を介して出力させ、所定の時間が経過した後、発光手段の発光を開始させて、始端センサ及び終端センサによって、ビデオテープの始端及び終端の検出を開始し、ユーザに装置の遮光が十分でないことを了知させることを可能としたものである。
【発明の効果】
【０００９】
請求項１の発明によれば、検出制御手段が、電源投入後に、所定の時間に亘って赤外線発光ダイオードの発光を停止させた状態で、始端センサ及び終端センサによってそれらの周辺の光、すなわちキャビネットの通気孔等から侵入した外光を検出させ、外光による始端センサ及び終端センサの誤動作が発生し易い場合は、ユーザに遮光すべき旨のメッセージを表示させるので、同センサの誤動作を防止することができる。また、ユーザが適切な遮光対策を施さなかったことにより同センサが誤動作した場合であっても、装置の故障ではないことをユーザに了知させることができる。また、始端センサ側又は終端センサ側のいずれかの側の遮光が不十分な場合には、遮光が不十分な側をユーザに知らせることができるので、ユーザは効果的な遮光対策を容易に施せるようになる。
【００１０】
請求項２の発明によれば、検出制御手段が、電源投入後に、所定の時間に亘って発光手段の発光を停止させた状態で、始端センサ及び終端センサによってそれらの周辺の光、すなわち外光を検出させ、外光による始端センサ及び終端センサの誤動作が発生し易い場合は、ユーザに遮光すべき旨のメッセージを表示させるので、同センサの誤動作を防止することができる。また、ユーザが適切な遮光対策を施さなかったことにより同センサが誤動作した場合であっても、装置の故障ではないことをユーザに了知させることができる。
【発明を実施するための最良の形態】
【００１１】
本発明を実施するための最良の形態について図面を参照して説明する。本発明は、ビデオテープ再生装置におけるビデオテープの終端検出及び始端検出に関するものである。以下の実施形態では、本発明をＶＴＲ（Video Tape Recorder）内蔵型テレビジョン受像機（いわゆるテレビデオ）に適用した場合の例について説明する。なお、以下に記載した実施形態は、本発明を網羅するものではなく、本発明は、下記の形態だけに限定されない。
【００１２】
図１は、本発明の一実施形態によるビデオテープ再生装置を内蔵するＶＴＲ内蔵型テレビジョン受像機の電気的ブロック構成を示す。このＶＴＲ内蔵型テレビジョン受像機１は、テレビジョン受像機とビデオテープレコーダとを組み合わせたものであり、放送局から配信されるテレビジョン放送信号や外部入力信号に加えて、自機で再生したビデオ映像・音声信号を内蔵のモニタ装置２に出力することができ、また、自機で受信したテレビジョン放送信号や外部入力信号を録画することができる。ＶＴＲ内蔵型テレビジョン受像機１は、装置本体に対する各種の操作を指示するためのリモコン３（操作手段）と、装置全体の制御を行うためのマイコン４と、ビデオ映像・音声信号の記録・再生を行うビデオテープ記録再生部５（再生手段）とを備えている。リモコン３は、ビデオテープ記録再生部５による映像・音声信号の再生や、ビデオテープの早送り、巻き戻し等の操作を指示するためにユーザにより用いられる。マイコン４は、請求項における検出制御手段としても機能し、リモコン３を用いてユーザによりビデオテープ記録再生部５による映像・音声信号の再生や、ビデオテープの早送り、巻き戻しの操作が指示されたときに、ビデオテープの終端検出や始端検出の制御を行う。
【００１３】
また、ＶＴＲ内蔵型テレビジョン受像機１は、光源ドライブ回路６と、発光ユニット７と、始端センサ８と、終端センサ９とを有している。光源ドライブ回路６は、リモコン３を用いてユーザによりビデオテープ記録再生部５による映像・音声信号の再生や、ビデオテープの早送り、巻き戻し等の操作が指示されたときに、マイコン４から送られた制御信号に応じた電源を発光ユニット７に供給する。発光ユニット７は、光源ドライブ回路６から供給された電源に基いて点灯又は消灯する赤外線発光ダイオード、及び赤外線発光ダイオードから発せられた光を始端センサ８と終端センサ９とに導くプリズムより構成される。始端センサ８は、リモコン３を用いてユーザによりビデオテープの巻き戻しの操作が指示されたときに、発光ユニット７から受光した光に基いてビデオテープの始端を検出するためのものである。終端センサ９は、リモコン３を用いてユーザによりビデオテープ記録再生部５による映像・音声信号の再生や、ビデオテープの早送りの操作が指示されたときに、発光ユニット７から受光した光に基いてビデオテープの終端を検出するためのものである。
【００１４】
さらにまた、ＶＴＲ内蔵型テレビジョン受像機１は、アンテナ２０を介して受信したテレビジョン放送信号の中からリモコン３を用いてユーザにより選択されたチャンネルの放送信号を抽出するためのチューナ１１と、チューナ１１で取り出された映像と音声の中間周波信号を増幅する映像中間周波増幅回路１２と、スイッチボックス１０とを有している。スイッチボックス１０は、映像中間周波増幅回路１２、ビデオテープ記録再生部５及び外部入力端子１６から入力された映像・音声信号のうち、リモコン３を用いてユーザにより選択された特定の種類の映像・音声信号のみを入力信号として受け付けると共に、映像中間周波増幅回路１２又は外部入力端子１６からの映像・音声信号をモニタ装置２だけに出力するか、又はモニタ装置２とビデオテープ記録再生部５とに出力するかを切り替える。
【００１５】
また、ＶＴＲ内蔵型テレビジョン受像機１は、スイッチボックス１０を介して送られた映像信号に基いて原色信号を再生する色再生回路（映像信号処理手段）１３と、スイッチボックス１０を介して送られた音声信号を増幅して、モニタ装置２内蔵のスピーカ１７に出力する音声回路（音声信号処理手段）１４と、これらの回路１３、１４を含む装置の各部を被うためのキャビネット１５と、リモコン３から送信された赤外線信号を受信するリモコン信号受信部１８とを有している。また、キャビネット１５の前面には、ビデオテープカセットの挿入・取出し等のためカセット挿入口１９が配されている。
【００１６】
上記のリモコン３は、各種のキーからなるキー部３４と赤外線信号発信部３１とを有している。キー部３４には、電源キー３３、数字入力用のキー３５に加えて、各種メニューを表示するためのメニューキー３２が配設されている。また、キー部３４には、ビデオテープ記録再生部５に対して映像・音声信号の再生の操作の指示をするための再生キー３７、ビデオテープ記録再生部５に対してビデオテープの巻き戻しの操作を指示するための巻戻キー３６、及びビデオテープ記録再生部５に対してビデオテープの早送りの操作を指示するための早送キー３８が配されている。
【００１７】
図２は、上記ビデオテープ記録再生部５におけるビデオテープの始端検出及び終端検出の様子を示す。光源ドライブ回路６は、図１に示されるリモコン３を用いてユーザにより映像・音声信号の再生や、ビデオテープ４２の早送り、巻き戻し等の操作が指示されたときに、マイコン４から送られた光源ドライブ信号に同期した電源を供給する。発光ユニット７内の赤外線発光ダイオードは、光源ドライブ回路６から供給された電源に基いて点灯又は消灯する。この赤外線発光ダイオードからの光は、発光ユニット７内のプリズムによって始端センサ８と終端センサ９とに導かれる。ビデオテープ４２の始端又は終端における透明なリーダテープ部以外の記録部では、発光ユニット７からの光は、ビデオテープ４２によって遮断されて、始端センサ８及び終端センサ９に入射しない。始端センサ８及び終端センサ９は、この発光ユニット７からの光を受光しない状態では、ハイレベルの信号を出力するように設定されている。これに対して、ビデオテープ４２の始端又は終端における透明なリーダテープ部では、発光ユニット７からの光は、ビデオテープ４２によって遮断されず透過し、始端センサ８又は終端センサ９に入射する。始端センサ８及び終端センサ９は、発光ユニット７から出射された光を受光している状態では、ローレベルの信号を出力するように設定されている。
【００１８】
次に、図２に示されるビデオテープ記録再生部５内の構成について説明する。図に示されるように、ビデオテープ記録再生部５は、カセット４１内のビデオテープ４２の再生、録画、早送り等を行う際にリールモータ（駆動手段）５５により駆動される巻取リール台４３、及び供給リール台４４を有している。また、ビデオテープ記録再生部５は、録画再生時にビデオテープ４２に引っ張り駆動力を与えるピンチローラ４５及びキャプスタン４６と、映像信号を記録再生するヘッドシリンダ４７と、録画時に既に登録されていた内容を高周波電流を流して消去する全幅消去ヘッド４９と、音声・コントロールヘッド５０と、各ヘッド４７、４９、５０とテープ面とを密着させて安定したテープ走行をさせるためのバックテンションポスト４８とを有している。音声・コントロールヘッド５０は、ビデオテープ４２の上端部と下端部とに音声信号とコントロール信号とを記録すると共に、ビデオテープ４２の上端部と下端部とに記録された音声信号とコントロール信号とを再生するためのヘッドである。また、図には示していないが、音声・コントロールヘッド５０に隣接した位置には、音声信号だけを消去するための音声消去ヘッドが配設されている。
【００１９】
図３は、発光ダイオード及び始端センサ８によって構成されるビデオテープ４２の始端を検出するための回路の一例を示している。図３に示すように、発光ダイオード（発光手段）７１にＶｃｃ電圧（例えば、５［Ｖ］）が印加されると、発光ダイオード７１が発光し、発光ユニット７内のプリズムを介して始端センサ８に向って赤外線ＩＲが照射される。このとき、発光ダイオード７１と始端センサ８との間にビデオテープ４２の記録部が存在すると、赤外線ＩＲが遮断される。一方、ビデオテープ４２が始端の場合には、赤外線ＩＲがビデオテープ４２の始端のリーダテープ部を透過して、始端センサ８に照射される。その結果、始端センサ８がオンし、出力ポート８１から検出される電圧が０［Ｖ］になる。また、ビデオテープカセットが未装填である場合にも、同様に、始端センサ８に赤外線ＩＲが照射され、出力ポート８１から検出される電圧が０［Ｖ］になる。なお、発光ダイオード７１及び終端センサ９等によって構成される回路及びその動作も上記と同様であるので説明を省略する。
【００２０】
本ＶＴＲ内蔵型テレビジョン受像機１においては、電源投入から所定の時間Ｔ［秒］が経過するまで、発光ダイオード７１の発光を停止させ、始端センサ８及び終端センサ９によってその周辺の光、すなわち外光を検出する。このとき、ビデオテープカセット４１の有無、ビデオテープ４２の巻き取り状況、外光の遮光の程度によって、出力ポート８１から検出される電圧が変動する。
【００２１】
図４は、（１）外光がなく、ビデオテープカセット４１が未装填のとき、（２）外光がなく、ビデオテープカセット４１が装填され、始端センサ８がビデオテープ４２の始端を検出しているとき、（３）外光がなく、ビデオテープカセット４１が装填されているが、始端センサ８がビデオテープ４２の記録部を検出しているとき、（４）外光が検出されたときの出力ポート８１から出力される電圧の推移を示している。
【００２２】
まず、（１）外光がなく、ビデオテープカセットが未装填のとき、時間Ｔ［秒］が経過するまでは、発光ダイオード７１の発光は停止されているので、出力ポート８１からＶｃｃ電圧（５［Ｖ］）が検出される。そして、時間Ｔ［秒］が経過すると、発光ダイオード７１から赤外線ＩＲが出力され、その赤外線ＩＲは、遮断されることなく始端センサ８に到達し、受光される。これにより、始端センサ８は導通し、出力ポート８１の電位は０［Ｖ］になる。
【００２３】
（２）外光がなく、ビデオテープカセット４１が装填され、始端センサ８がビデオテープ４２の始端を検出しているときも、上記（１）と同様に、時間Ｔ［秒］が経過するまでは、発光ダイオード７１の発光は停止されているので、出力ポート８１からＶｃｃ電圧（５［Ｖ］）が検出される。そして、時間Ｔ［秒］が経過すると、発光ダイオード７１から赤外線ＩＲが出力され、その赤外線ＩＲは、ビデオテープ４２の始端のリーダテープ部を透過して始端センサ８に到達し、受光される。これにより、始端センサ８は導通し、出力ポート８１の電位は０［Ｖ］になる。
【００２４】
次に、（３）外光がなく、ビデオテープカセット４１が装填されているが、始端センサ８がビデオテープ４２の記録部を検出しているときは、上記（１）と同様に、時間Ｔ［秒］が経過するまでは、発光ダイオード７１の発光は停止されているので、出力ポート８１からＶｃｃ電圧（５［Ｖ］）が検出される。一方、時間Ｔ［秒］が経過すると、発光ダイオード７１から赤外線ＩＲが出力されるが、その赤外線ＩＲは、ビデオテープ４２の記録部を透過することができないので、始端センサ８によって受光されることはない。従って、出力ポート８１からは引き続きＶｃｃ電圧（５［Ｖ］）が検出される。
【００２５】
そして、（４）始端センサ８によって所定光量以上の外光が検出されたときは、発光ダイオード７１の動作及びビデオテープカセット４１の有無等に関わらず、出力ポート８１の電位は０［Ｖ］になる。このように、電源が投入されてから所定の時間Ｔ［秒］が経過する前後の出力ポート８１の電圧に基いて、始端センサ８周辺の外光の強さを検出することができる。なお、終端センサ９の動作とそれに接続されている出力ポートの電圧の変化についても上記と同様であるので説明を省略する。
【００２６】
次に、ＶＴＲ内蔵型テレビジョン受像機１の電源投入から、ビデオテープ４２の再生開始までのマイコンの動作について図５を参照して説明する。ユーザによって電源が投入されると（＃１）、マイコン４は、まず始端センサ８及び終端センサ９によってそれらの周辺の光を検出させる（＃２）。そして、始端センサ８が所定光量以上の光を検出した場合、すなわち、始端センサ８に接続されている出力ポート８１の電圧が０［Ｖ］に、又はそれに近似する所定値以下に低下した場合は（＃３においてＹＥＳ）、マイコン４は、色再生回路１３を介してモニタ装置２に、始端センサ８の側を遮光すべき旨のメッセージを表示させる（＃４）。一方、終端センサ９が所定光量以上の光を検出すると（＃５においてＹＥＳ）、マイコン４は、色再生回路１３を介してモニタ装置２に、終端センサ９の側を遮光すべき旨のメッセージを表示させる（＃６）。そして、＃１から所定の時間が経過すると（＃７においてＹＥＳ）、マイコン４は、発光ダイオード７１の発光を開始させた後（＃８）、ビデオテープ４２の再生を開始させる（＃９）。なお、＃３においてＮＯのときは＃５に移行し、＃５においてＮＯのときは＃７に移行する。また、＃７においてＮＯのときは＃３に戻る。
【００２７】
以上のように、本実施形態のＶＴＲ内蔵型テレビジョン受像機１によれば、電源投入後に、マイコン４が、所定の時間に亘って発光ダイオード７１の発光を停止させた状態で、始端センサ８及び終端センサ９によってそれらの周辺の光、すなわちキャビネット１５の通気孔等から侵入した外光を検出させ、この外光による始端センサ８及び終端センサ９の誤動作が発生し易い場合は、モニタ装置２に遮光すべき旨のメッセージを表示させる。従って、始端センサ８及び終端センサ９の誤動作を防止することができる。また、ユーザが適切な遮光対策を施さなかったことにより始端センサ８及び終端センサ９が誤動作した場合であっても、装置の故障ではないことをユーザに了知させることができる。また、始端センサ８の側又は終端センサ９の側のいずれかの遮光が不十分な場合には、遮光が不十分な側をユーザに知らせることができるので、ユーザは効果的な遮光対策を容易に施せるようになる。また、発光ダイオード７１の発光の停止は、マイコン４の制御すなわちソフトウェアによって行うことができるので、特許文献３に示された第２の検出回路に相当するハードウェア回路を増設する必要がなく、装置の製造コストの高騰を招くこともない。
【００２８】
なお、本発明は上記実施形態の構成に限られることなく種々の変形が可能であり、例えば、ビデオテープ再生装置は、ＶＴＲ内蔵型テレビジョン受像機１に内蔵される形態に限られることなく、単独で成立する装置であってもよい。この場合は、装置外部に接続されたモニタ装置２等に映像信号を出力して映像を表示させればよい。また、図５中、＃４及び＃６において、メッセージを映像でモニタ装置２に表示させる替わりに、スピーカ１７から音声によって出力させてもよい。
【図面の簡単な説明】
【００２９】
【図１】本発明の一実施形態によるＶＴＲ内蔵型テレビジョン受像機の電気的ブロック構成図。
【図２】同受像機におけるビデオテープの始端検出及び終端検出の様子を示す図。
【図３】発光ダイオード及び始端センサによって構成されるビデオテープの始端を検出するための回路の一例を示す回路図。
【図４】各種状態において、同受像機の電源投入の直後に出力ポートから出力される電圧の推移を示す図。
【図５】同受像機の電源投入から、ビデオテープの再生開始までのマイコンの動作を示すフローチャート。
【符号の説明】
【００３０】
１    ＶＴＲ内蔵型テレビジョン受像機（ビデオテープ再生装置）
３    リモコン（操作手段）
４    マイコン（検出制御手段）
５    ビデオテープ記録再生部（再生手段）
６    光源ドライブ回路
８    始端センサ
９    終端センサ
１３    色再生回路（映像信号処理手段）
１４    音声回路（音声信号処理手段）
１５    キャビネット
５５    リールモータ（駆動手段）
７１    発光ダイオード
【図１】
2006065898.tif 000003
【図２】
2006065898.tif 000004
【図３】
2006065898.tif 000005
【図４】
2006065898.tif 000006
【図５】
2006065898.tif 000007